(57)【要約】      （修正有）【課題】複数のカード状部材が、出し入れしやすく確実に収納される、製造容易な収納ファイル用シートを提供する。【解決手段】収納ファイル用シートにおいて、同一の矩形形状であり互いに重ね合わされた、裏側シート３と、切断線６１が形成された表側シート２とを有し、切断線に沿って一列に並び、切断線側を除く各辺が前記表側シートと前記裏側シートとの溶着により形成され、切断線を挿入開口として挿入されたカード状部材を、カード状部材の一部が食み出した状態に収容する複数の収容部と、表側シートの、切断線を挟んで収容部と向き合う部分からなり、収容部に収容されたカード状部材の、収容部から食み出した部分を覆う覆い部９１と、表側シートと前記裏側シートとに共通のいずれか１辺に沿って設けられた複数の綴じ穴７１を有する綴じ部７とが形成されていることを特徴とする。【選択図】図１
0003161940.tif 000002
【実用新案登録請求の範囲】
【請求項１】
同一の矩形形状であり辺を共通にして互いに重ね合わされた、裏側シートと、第１の辺と平行に切断された切断線が形成された表側シートとを有し、
前記切断線に沿って一列に並び、該切断線側を除く各辺が前記表側シートと前記裏側シートとの溶着により形成され、該切断線を挿入開口として該挿入開口から挿入されたカード状部材を、該カード状部材の一部が該挿入開口から食み出した状態に収容する複数の収容部と、
前記表側シートの、前記切断線を挟んで前記収容部と向き合う部分からなり、該収容部に収容されたカード状部材の、該収容部から食み出した部分を覆って前記裏側シートとの間に挟む覆い部と、
前記表側シートと前記裏側シートとに共通のいずれか１辺に沿って設けられた、該表側シートと該裏側シートとに貫通して綴じ具を通す複数の綴じ穴を有する綴じ部とが形成されていることを特徴とするカード状部材の収納ファイル用シート。
【請求項２】
前記切断線が、前記矩形形状の前記第の１辺と交わる第２の辺が延びる方向に所定間隔をもって複数本形成され、前記収容部の、前記切断線に沿って並ぶ列が各切断線ごとに形成され、前記覆い部も該各切断線に沿って形成されていることを特徴とする請求項１記載の収納ファイル用シート。
【請求項３】
一本の切断線に沿って並ぶ前記複数の収容部と、該複数の収容部を間に挟む、該一本の切断線に隣接する切断線に沿う前記覆い部との間の領域、および前記綴じ部が設けられた側の一辺からは離れた側の１辺に沿う領域のうちのいずれかの領域に、前記表側シートにメモ書き可能な印刷が施されたメモ書き部がさらに形成されていることを特徴とする請求項１または２記載の収納ファイル用シート。
【請求項４】
前記表側シートと前記裏側シートは、点形状の溶着の集合により一体化されたものであることを特徴とする請求項１から３いずれか１項記載の収納ファイル用シート。
【請求項５】
前記表側シートおよび前記裏側シートが、帯電防止剤を含有又は塗布された合成樹脂材料からなるものであることを特徴とする請求項１から４いずれか１項項記載の収納ファイル用シート。
【請求項６】
前記表側シートおよび前記裏側シートが、透明または半透明の材料からなるものであることを特徴とする請求項１から５いずれか１項項記載の収納ファイル用シート。
【請求項７】
前記収容部が、メモリカードを収容する収容部であることを特徴とする請求項１から６いずれか１項記載の収納ファイル用シート。
【考案の詳細な説明】
【技術分野】
【０００１】
本考案は、カード状部材の収納ファイル用シートに関する。
【背景技術】
【０００２】
カード状部材を収納する収納具として、例えば、メモリカードを収納する収納ケースが知られている（例えば、特許文献１参照。）。この収納ケースは箱状であり、内部に３〜４枚のメモリカードが重ねて収納される。
【０００３】
メモリカードは、デジタルカメラで撮影した画像を記録する媒体として広く用いられてきている。
【０００４】
従来、撮影した画像を整理・保管する手法としては、ネガフィルムをシート状の収納具に収納してファイルに綴じることや、メモリカードから読み出した画像のデータを記録したＣＤＲＯＭを収納ケースにまとめて収納することが行われていた（特許文献２〜４参照。）。
【先行技術文献】
【特許文献】
【０００５】
【特許文献１】特開２０１０−２９５０９号公報
【特許文献２】特開平１０−９０８７２号公報
【特許文献３】特開平１１−１７１２７４号公報
【特許文献４】特開２００５−５９５６５号公報
【考案の概要】
【考案が解決しようとする課題】
【０００６】
近年、メモリカードの低価格化にともない、メモリカードを消去して使い回しするのでなく、新たなメモリカードに画像を記録していき、画像が記録されたメモリカードを保管しておくといった使い方が広がってきており、このような状況で、多数のメモリカードを見やすく効率よく保管することが望まれている。特に、例えば証拠写真の記録のような、メモリカードに対する上書きを行わずに記録を長期保管する用途や、各作業工程の記録写真を残してくといった商業上の用途において、大量のメモリカードを、出し入れ容易な状態で紛失することなく保管することが求められている。
【０００７】
また、出し入れ容易な状態で紛失することなく保管することは、メモリカード以外のカード状部材についても言えることである。
【０００８】
本考案は、例えばメモリカードといった複数のカード状部材が、出し入れしやすく確実に収納される、製造容易な収納ファイル用シートを提供することを目的とするものである。
【課題を解決するための手段】
【０００９】
上記目的を達成する本考案の収納ファイル用シートは、
同一の矩形形状であり辺を共通にして互いに重ね合わされた、裏側シートと、第１の辺と平行に切断された切断線が形成された表側シートとを有し、
上記切断線に沿って一列に並び、この切断線側を除く各辺が上記表側シートと上記裏側シートとの溶着により形成され、この切断線を挿入開口としてこの挿入開口から挿入されたカード状部材を、このカード状部材の一部がこの挿入開口から食み出した状態に収容する複数の収容部と、
上記表側シートの、上記切断線を挟んで上記収容部と向き合う部分からなり、この収容部に収容されたカード状部材の、この収容部から食み出した部分を覆って上記裏側シートとの間に挟む覆い部と、
上記表側シートと上記裏側シートとに共通のいずれか１辺に沿って設けられた、この表側シートとこの裏側シートとに貫通して綴じ具を通す複数の綴じ穴を有する綴じ部とが形成されていることを特徴とする。
【００１０】
本考案の収納ファイル用シートでは、並んで配置された複数の収容部のそれぞれに、カード状部材の一部が挿入開口から食み出した状態に収容されるため、カード状部材の一部を手指で摘んで１枚ごと容易に出し入れすることができる。しかも、カード状部材の当該一部は覆い部よって覆われるため、収容部からの脱落が防止される。また、このような構造の収納ファイル用シートは、裏側シートおよび表側シートとなる２枚のシートを重ね合わせ、切断し、溶着することで容易に製造することができる。
【００１１】
ここで、上記切断線が、上記矩形形状の上記第の１辺と交わる第２の辺が延びる方向に所定間隔をもって複数本形成され、上記収容部の、上記切断線に沿って並ぶ列が各切断線ごとに形成され、上記覆い部もこの各切断線に沿って形成されていることが好ましい。
【００１２】
複数の収容部の列が更に複数行に亘って配置されることで、より多数のカード状部材が、縦横に配列整理され、見易く出し入れし易い状態で収納される。
【００１３】
また、上記本考案の収納ファイル用シートにおいて、一本の切断線に沿って並ぶ上記複数の収容部と、この複数の収容部を間に挟む、この一本の切断線に隣接する切断線に沿う上記覆い部との間の領域、および上記綴じ部が設けられた側の一辺からは離れた側の１辺に沿う領域のうちのいずれかの領域に、上記表側シートにメモ書き可能な印刷が施されたメモ書き部がさらに形成されていることが好ましい。
【００１４】
カード状部材が例えばデータを記憶したメモリカードの場合に、収容部に収容されたメモリカードの記憶内容名等の識別情報をメモ書きすることで、メモリカードを容易に識別することができる。
【００１５】
また、上記本考案の収納ファイル用シートにおいて、上記表側シートと上記裏側シートは、点形状の溶着の集合により一体化されたものであることが好ましい。
【００１６】
点形状の溶着の集合により一体化された収納ファイル用シートは、製造が容易であり、溶着部での破れも生じにくい。
【００１７】
また、上記本考案の収納ファイル用シートにおいて、上記表側シートおよび上記裏側シートが、帯電防止剤を含有又は塗布された合成樹脂材料からなるものであることが好ましい。
【００１８】
カード状部材が例えばデータを記憶したメモリカードの場合に、静電気に起因する破損が回避される。
【００１９】
また、上記本考案の収納ファイル用シートにおいて、上記表側シートおよび上記裏側シートが、透明または半透明の材料からなるものであることが好ましい。
【００２０】
透明または半透明であることによって、収容部に収容された複数のカード状部材のすべてが一目で視認可能である。
【００２１】
また、上記本考案の収納ファイル用シートにおいて、上記収容部が、メモリカードを収容する収容部であることが好ましい。
【００２２】
例えば、撮影した画像データを記憶した複数のメモリカードが出し入れし易すく収納される
【考案の効果】
【００２３】
以上説明したように、本考案によれば、カード状部材が脱落することなく、かつ出し入れし易すく収納される収納ファイル用シートが実現する。
【図面の簡単な説明】
【００２４】
【図１】本考案の一実施形態である収納ファイル用シートの外観図である。
【図２】図１に示す収納ファイル用シートに、メモリカードを収納している状態を説明する図である。
【図３】図２に示す収納ファイル用シートの一部断面を模式的に示した断面図である。
【考案を実施するための形態】
【００２５】
以下図面を参照して本考案の実施の形態を説明する。
【００２６】
図１は、本考案の一実施形態である収納ファイル用シートの外観図である。
【００２７】
図１に示す収納ファイル用シート１は、例えばＳＤカードに代表されるメモリカードを収納するシートである。収納ファイル用シート１は、Ａ４版の大きさを有し、２５個のメモリカードを収納してファイル（バインダ）に綴じこむことが可能となっている。
【００２８】
収納ファイル用シート１は、表側シート２と裏側シート３とを有している。表側シート２と裏側シート３は、互いに同一の矩形状であり、４辺４ａ，４ｂ，４ｃ，４ｄを共通にして互いに互いに重ね合わせられている。４辺４ａ〜４ｄは、互いに平行で反対側に位置する上の辺４ａおよび下の辺４ｂと、これら上の辺４ａおよび下の辺４ｂと垂直に交わる左の辺４ｃ，右の辺４ｄとからなる。左の辺４ｃおよび右の辺４ｄは、互いに平行で反対側に位置している。以降、４つの辺の名称に合わせて、上下左右の語も用いて位置関係を説明する。なお、図には、裏側シート３の手前に重ね合わせられている表側シート２のみが表れている。
【００２９】
表側シート２および裏側シート３は、いずれも半透明の合成樹脂材料からなる薄いシートである。表側シート２および裏側シート３は、持続性帯電防止素材からなり、より詳細には、帯電防止剤を含有したポリプロピレン製である。収納されるメモリカードには半導体メモリが内蔵されており表面には信号端子が露出しているが、収納ファイル用シート１が帯電防止素材からなるので、静電気に起因するメモリカードの破損が回避される。また、合成樹脂材料のシートは、紙等のシートに比べ丈夫であり、接着剤を用いたりせず溶着によって接合することができる。
【００３０】
表側シート２および裏側シート３は、一部が溶着されており、より詳細には、点形状の溶着の集合５１，５２，５３，５４，５５，５６（５６ａ〜５６ｄ），５７，５８（５８ａ〜５８ｄ）により一体化されている。これら点形状の溶着の集合５１〜５８を、溶着部５１〜５８と称する。溶着部５１〜５８のそれぞれは、点形状の溶着が線状に並んでおり、細かく見ると溶着された部分と溶着されない部分が交互に並んでいるため、製造において溶着に必要とされる熱量や溶着時間が抑えられ、また、溶着部での破れも生じにくい。また、溶着部５１〜５８のうち、４つの辺４ａ〜４ｄに沿って設けられた溶着部５１，５６，５７，５８によって、収納ファイル用シート１の縁が強化されている。
【００３１】
収納ファイル用シート１には、表側シート２と裏側シート３とに共通の左の辺４ｃに沿って、綴じ部７が形成されている。綴じ部７は、表側シート２と裏側シート３とに貫通して綴じ具を通す３０個の綴じ穴７１を有している。綴じ穴７１は、左の辺４ｃと平行に１列に並んで配置されている。収納ファイル用シート１は綴じ部７を有することによって、Ａ４版の３０穴式のファイル、２穴式のファイル、または４穴式のファイルに綴じ込むことが可能となっている。
【００３２】
収納ファイル用シート１の表側シート２には、上の辺４ａおよび下の辺４ｂに平行に切断された４本の切断線６１，６２，６３，６４が形成されている。４本の切断線６１〜６４は、左の辺４ｃおよび右の辺４ｄが延びる方向に等間隔をもって形成されている。切断線６１〜６４のそれぞれは、左の辺４ｃから反対側の右の辺４ｄまで表側シート２を横切って左右に延びる一直線に形成されている。なお、切断線は、裏側シート３には形成されていない。
【００３３】
収納ファイル用シート１には、メモリカードを収容する２０個の収容部８１〜８４（８１ａ〜８１ｅ，８２ａ〜８２ｅ，８３ａ〜８３ｅ，８４ａ〜８４ｅ）が形成されており、これら２０個の収容部８１〜８４は縦横２次元に配列されている。最も上の列の５つの収容部８１ａ〜８１ｅは、上の辺４ａに最も近い切断線６１に沿って一列に並んで配置されている。これら５つの収容部８１ａ〜８１ｅのそれぞれは矩形状であり、切断線６１を除く各辺が、溶着部５２における表側シート２と裏側シート３との溶着により形成されている。つまり、溶着部５２によって画定されている。各収容部８１ａ〜８１ｅは、切断線６１を挿入開口としており、この挿入開口からカード状部材であるメモリカードが挿入される。各収容部８１ａ〜８１ｅは、奥行が、メモリカードの挿入方向における寸法（長辺の寸法）よりも短く形成されている。このため、収容されたメモリカードの一部は、挿入開口から食み出すこととなる。メモリカードの一部が挿入開口から食み出した状態に収容されることによって、この食み出した部分を手指で持って収容および取り出しが容易に行える。
【００３４】
ここでは、上の辺４ａに最も近い切断線６１に沿って並んだ５つの収容部８１ａ〜８１ｅについて説明したが、残りの１５個の８２ａ〜８２ｅ，８３ａ〜８３ｅ，８４ａ〜８４ｅも、説明した５つの収容部８１ａ〜８１ｅと同様の構造となっている。収容部８１ａ〜８１ｅ，８２ａ〜８２ｅ，８３ａ〜８３ｅ，８４ａ〜８４ｅは、５つずつで１つの列をなし、４つの列が切断線６１，６２，６３，６４に沿ってそれぞれ並んだ配列となっている。
【００３５】
これら２０個の収容部８１〜８４には、２０個のメモリカードが互いに重なることなく縦横に配列された状態で収容されるので、目的のメモリカードがすぐに取り出せる。また、表側シート２および裏側シート３はいずれも半透明のシートであり、メモリカードの収容部８１の中に収容された部分も視認可能である。
【００３６】
また、表側シート２のうち、切断線６１を挟んで収容部８１ａ〜８１ｅと向き合う部分には、収容部８１ａ〜８１ｅに収容されたメモリカードの挿入開口から食み出した一部を覆う覆い部９１が形成されている。覆い部９１は、表側シート２のうち、収容部８１ａ〜８１ｅと向き合う部分が、切断線６１から離れた位置で切断線６１と平行に配置された溶着部５１ａで裏側シート３に溶着されることによって形成されている。このため覆い部９１は、切断線６１の側を手指でつまんで持ち上げることで、裏側シート３から離れるように捲り上げることができる。収容部８１ａ〜８１ｅを形成する溶着部５２のうち収容部８１ａ〜８１ｅの奥の部分から、覆い部９１を固定する溶着部５１ａまでの距離は、メモリカードの長辺よりも長く形成されている。また、覆い部９１の左右の幅は、この覆い部９１に向き合う５つの収容部８１ａ〜８１ｅのすべてに亘る長さとなっている。より詳細には、覆い部９１は、表側シート２の左の辺４ｃから右の辺４ｄまで一つに繋がった形状である。
【００３７】
ここでは、収容部８１ａ〜８１ｅに向き合った覆い部９１について説明したが、収納ファイル用シート１には、４列の収容部８１ａ〜８１ｅ，８２ａ〜８２ｅ，８３ａ〜８３ｅ，８４ａ〜８４ｅのそれぞれに向き合って、４つの覆い部９１，９２，９３，９４が形成されている。上述した覆い部９１と残りの３つの覆い部９２，９３，９４とは同様の構造を有している。ただし、３つの覆い部９２，９３，９４のうち、上から２つ目の覆い部９２は、１行目の収容部８１ａ〜８１ｅから切断されず一体に続いて形成されており、３つ目の覆い部９３は、２行目の収容部８２ａ〜８２ｅから切断されず一体に続いて形成されており、４つ目の覆い部９４は、３行目の収容部８３ａ〜８３ｅから切断されず一体に続いて形成されている。このような構造は、裏側シート３に重ねた表側シート２を、覆い部９１〜９４と収容部８１〜８４のそれぞれの間の線で切断し、一部を溶着することで容易に製造することが可能である。
【００３８】
また、収納ファイル用シート１には、メモ書き可能なメモ書き部Ｍ１〜Ｍ９が形成されている。メモ書き部Ｍ１〜Ｍ９は、半透明な表側シート２の一部に白色のインクが印刷されたものであり、上にメモ書きができるようになっている。図では、メモ書き部Ｍ１〜Ｍ９は、その輪郭が一点鎖線で示されている。メモ書き部Ｍ５は、収納ファイル用シート１の上の辺４ａに沿って配置されている。メモ書き部Ｍ１〜Ｍ９のうち、４つのメモ書き部Ｍ１〜Ｍ４は、４列の収容部８１ａ〜８１ｅ，８２ａ〜８２ｅ，８３ａ〜８３ｅ，８４ａ〜８４ｅのそれぞれの列の下に配置されている。メモ書き部Ｍ１は、一本の切断線６１に沿って並ぶ５つの収容部８１ａ〜８１ｅと、この５つの収容部８１ａ〜８１ｅを間に挟む、切断線６１に隣接する切断線６２に沿う覆い部９２との間の領域に形成されている。メモ書き部Ｍ１の収容部８１ａ〜８１ｅとの境界は、溶着部５２によって画定されている。また、メモ書き部Ｍ２は、切断線６２に沿って並ぶ５つの収容部８２ａ〜８２ｅと、この５つの収容部８２ａ〜８２ｅを間に挟む、切断線６２に隣接する切断線６３に沿う覆い部９３との間の領域に形成されている。また、メモ書き部Ｍ３は、切断線６３に沿って並ぶ５つの収容部８３ａ〜８３ｅと、この５つの収容部８３ａ〜８３ｅを間に挟む、切断線６３に隣接する切断線６４に沿う覆い部９４との間の領域に形成されている。４つのメモ書き部Ｍ１〜Ｍ４には、それぞれの列ごとに、メモリカードの記録内容名等の識別情報を書き込んでおくことができる。更に、綴じ部７が設けられた側の左の辺５６ａからは離れた側の右の辺４ｄに沿う領域に、メモ書き部Ｍ６〜Ｍ９が形成されている。メモ書き部Ｍ６〜Ｍ９は、収容部８１〜８４からなる各列の延長上に設けられており、各列の列タイトルなどを表示する。
【００３９】
メモ書き部Ｍ１〜Ｍ９の採用は目的に応じて選択可能である。また、ここでは、メモ書き部Ｍ１〜Ｍ９の周囲を全て溶着処理したものが示されているが、周囲の溶着処理は必ずしも必要ではない。
【００４０】
［製造方法］
ここで、図１に示す収納ファイル用シート１の製造方法を説明する。
【００４１】
収納ファイル用シート１を製造するには、まず、表側シート２および裏側シート３の材料となるポリプロピレンシートを２枚用意する。
【００４２】
次に、２枚のシートのうち表側シートとなる一方に、メモ書き可能となる白色インクなどでメモ書き部を印刷する。
【００４３】
次に、２枚のシートを重ね合わせて配置する。
【００４４】
次に、２枚のシートのうち表側シートとなるシートを４箇所で切断する。これによって、メモリカードの挿入開口となる４本の切断線６１，６２，６３，６４が形成される。
【００４５】
次に、２枚のシートの溶着部５１〜５８となる位置を熱溶着する。これによって、溶着部５１〜５８、収容部８１、覆い部９１〜９４が形成される。
【００４６】
次に、穴あけを行い、２つのシートを貫通する綴じ穴７１を形成する。
【００４７】
次に、四辺を切り揃える。これによって、辺４ａ，４ｂ，４ｃ，４ｄが形成される。またさらに、角取りを行って角部分を除去してもよい。
【００４８】
以上の工程を経て、収納ファイル用シート１が完成する。
【００４９】
このように、図１に示す収納ファイル用シート１は、２枚のシートを重ね、１枚を切断し、所定の箇所を溶着することで容易に製造することができる。
【００５０】
［収納および取り出し］
図２は、図１に示す収納ファイル用シートに、メモリカードを収納している状態を説明する図である。
【００５１】
メモリカードＣを収納する場合には、覆い部９２を手指で摘んで捲り上げるとともに、メモリカードＣの上部を別の手指で摘み、このメモリカードＣを、切断線６１である挿入開口から収容部８２ｂに挿入する。収容部８２ｂに収容されたメモリカードＣは、上部が挿入開口から食み出るが、この部分は覆い部９２によって覆われる。
【００５２】
図３は、図２に示す収納ファイル用シートの一部断面を模式的に示した断面図である。
【００５３】
表側シート２と裏側シート３とは、溶着部５２（５２ａ），５３で溶着されており、メモリカードＣは、溶着部５３によって画定された収容部８２ｂに収容されている。収容部８２ｂから食み出たメモリカードＣの一部は、覆い部９２によって覆われている。このため、メモリカードＣの脱落が防止される。また、メモリカードＣは、表側シート２と裏側シート３とで挟み込まれるように全体が覆われるので、外力による衝撃や静電気から保護される。また、収容部８２ｂに対応するメモ書き部Ｍ２（図１参照）の上には、メモリカードＣに記憶された画像の名称や撮影日付等がペンでメモ書きされる。右端に配置されたメモ書き部Ｍ６〜Ｍ９は、見出しとしても使用される。
【００５４】
次に、収納されたメモリカードＣを取り出す場合には、覆い部９２を摘まみ上げることで、収容部８２ｂから食み出たメモリカードＣの一部が露出するので、この一部を摘まんでメモリカードＣを収容部８２ｂから取り出す。収納ファイル用シート１の覆い部９１が収容部８１ａ〜８１ｅのすべてに亘る長さで左右方向に一つに繋がっているため、例えば覆い部が５つの収容部ごとに切れたような形状に比べると、覆い部９２を持ち上げる際に、収容対象の収容部（図２では８２ｂ）に向き合う位置に限らず、左右にずれた位置を摘まんで持ち上げることができる。したがって、出し入れが容易である。また、覆い部の一部が不用意に捲くれ上がる事態も低減する。
【００５５】
図２には、すでに複数のメモリカードが収納された状態が示されているが、収納ファイル用シート１には、収容部が５つずつ、４つの列に配置されており、例えば複数のメモリカードを箱状のケースに重ねて収容する場合に比べ、目的のメモリカードが取り出し易い。また、表側シート２および裏側シート３は半透明なので、メモリカードの収納状態が一目瞭然である。また、個々のメモリカードのラベル記載も、取り出すことなく判別が可能である。
【００５６】
図２に示す収納ファイル用シート１は、例えば３０穴式のファイルに複数枚綴じ込まれることで、大量のメモリカードが取り出し易く整理された状態で収納される。
【００５７】
なお、上述した実施形態では、本考案にいう収納ファイル用シートの例として、ＳＤカードに代表されるメモリカードを収納するものを示したが、本考案はこれに限られるものではなく、例えば、トレーディングカードを収納するものであってもよい。また、本考案にいう収納ファイル用シートは、マイクロＳＤカードに代表される小型のカード状部材や、ＣＤ−Ｒに代表される大型の部材を収容する収容部が１列に並んで設けられたものや、これら小型・大型の部材の収容部が、ＳＤカードといったメモリカードの収容部の列に混在して設けられたものであってもよい。
【００５８】
また、本考案にいう収納ファイル用シートの例として、Ａ４版サイズで、１列５つずつの収容部が４列に配列された構造を示したが、本考案はこれに限られるものではなく、サイズはＢ４版やＡ４版であってもよく、収容部の数は２０より多くとも、また２０より少ないものであってもよい。また、表側シートと裏側シートとは異なる厚さのものであってもよく、例えば、裏側シートの厚みが表側シートの厚みより厚くてもよい。
【００５９】
また、本考案にいう切断線の例として、１列分の５つの収容部のすべてに亘る長さで切断された切断線を示したが、本考案にいう切断線はこれに限られるものではなく、例えば、途中で途切れ２箇所で切断された形状であってもよい。
【符号の説明】
【００６０】
１    収納ファイル用シート
２    表側シート
３    裏側シート
４ａ，４ｂ，４ｃ，４ｄ    辺
７    綴じ部
５１〜５８    溶着部（点形状の溶着の集合）
６１〜６４    切断線
７１    綴じ穴
８１〜８４    収容部
９１〜９４    覆い部
Ｍ１〜Ｍ９    メモ書き部
【図１】
0003161940.tif 000003
【図２】
0003161940.tif 000004
【図３】
0003161940.tif 000005